Podtech/llm-jp-corpus-v4-ja_patent huggingface dataset:
【手続補正書】
【提出日】平成20年1月29日(2008.1.29)
【手続補正１】
【補正対象書類名】特許請求の範囲
【補正対象項目名】請求項１
【補正方法】変更
【補正の内容】
【請求項１】
搬送されてきたシートが積載される第１の中間積載部と、
シート搬送方向と交差する方向に移動して前記第１の中間積載部上のシートの両側を整合するシート幅整合手段と、
前記シート幅整合手段により整合されたシートに処理を施す処理手段と、
前記第１の中間積載部のシート搬送方向上流側に位置され、前記第１の中間積載部上でのシート処理中に搬送されたシートを貯留可能な第２の中間積載部と、
前記第２の中間積載部上のシートを前記第１の中間積載部へ搬送する搬送手段と、を備え、
前記第１の中間積載部と前記第２の中間積載部は、前記第１の中間積載部に積載されたシートのシート搬送方向上流側端部と、前記第２の中間積載部に貯留されたシートのシート搬送方向下流側端部とが重なるように配置され、
前記シート幅整合手段が、前記第２の中間積載部に貯留されたシートのシート搬送方向下流側端部のさらに下流側に配設されていることを特徴とするシート処理装置。
【手続補正２】
【補正対象書類名】明細書
【補正対象項目名】０００９
【補正方法】変更
【補正の内容】
【０００９】
上記目的を達成するため、本発明のシート処理装置は、搬送されてきたシートが積載される第１の中間積載部と、シート搬送方向と交差する方向に移動して前記第１の中間積載部上のシートの両側を整合するシート幅整合手段と、前記シート幅整合手段により整合されたシートに処理を施す処理手段と、前記第１の中間積載部のシート搬送方向上流側に位置され、前記第１の中間積載部上でのシート処理中に搬送されたシートを貯留可能な第２の中間積載部と、前記第２の中間積載部上のシートを前記第１の中間積載部へ搬送する搬送手段と、を備え、前記第１の中間積載部と前記第２の中間積載部は、前記第１の中間積載部に積載されたシートのシート搬送方向上流側端部と、前記第２の中間積載部に貯留されたシートのシート搬送方向下流側端部とが重なるように配置され、前記シート幅整合手段が、前記第２の中間積載部に貯留されたシートのシート搬送方向下流側端部のさらに下流側に配設されている。
【手続補正３】
【補正対象書類名】明細書
【補正対象項目名】００３７
【補正方法】変更
【補正の内容】
【００３７】
まず、フェイスダウン状態でシートを第２のシート積載部３４０に単に排出積載する動作を説明する。
【手続補正４】
【補正対象書類名】明細書
【補正対象項目名】００３９
【補正方法】変更
【補正の内容】
【００３９】
したがって、フェイスダウン状態で第２のシート積載部３４０に、シート処理されないで単に排出積載されるシートは、画像形成装置２００のプリンタ部１の排出ローラ対３２から受取りローラ対３１０によってシート後処理装置３００に受け渡されて、中間ローラ対３２０を通過した後、ステイプラ３６０の近傍を通過して、排出ローラ対３３０から、第２のシート積載部３４０に向けて落下して積載される。
【手続補正５】
【補正対象書類名】明細書
【補正対象項目名】００４０
【補正方法】変更
【補正の内容】
【００４０】
次に、図４乃至図１４に基づいて、シートＳをステイプルして第２のシート積載部３４０に排出して積載する動作を説明する。
【手続補正６】
【補正対象書類名】明細書
【補正対象項目名】００６９
【補正方法】変更
【補正の内容】
【００６９】
このように、本実施形態のシート後処理装置３００は、先行ジョブのシート束Ｓ１のステイプル動作、及びステイプル処理された該シート束Ｓ１を第２のシート積載部３４０に積載する動作を行っている間に、次ジョブのシートを第２の中間積載部３００Ｃに貯めておくことができるので、プリンタ部１のエンジンのスループットを落とすことなくステイプル処理を行うことができる。また、図１２に示すように第２の中間積載部３００Ｃ上のシートと第１の中間積載部３００Ｂ上のシートとが一部オーバーラップするので、シート搬送方向の寸法を減少させることができ、シート後処理装置３００を小型化することが可能となる。
【手続補正７】
【補正対象書類名】明細書
【補正対象項目名】００７０
【補正方法】変更
【補正の内容】
【００７０】
その後、アーム３２１が反時計回り方向に回転してアーム３２１に軸支された中間ローラ３２０ａが中間ころ３２０ｂに圧接されて、中間ローラ対３２０にニップが形成される。中間ローラ対３２０は、回転して次ジョブの２枚のシート束Ｓ２を第１の中間積載部３００Ｂへ搬送する。本実施形態においては、第１の中間積載部３００Ｂ上での先行ジョブのシートの処理中に、次ジョブの２枚のシートを第２の中間積載部３００Ｃ上に一時的に貯留して、時間調整を行うようになっているが、第２の中間積載部３００Ｃ上に一時的に貯留するシートの枚数はシート搬送間隔とシート処理の時間によって変更される。つまり、処理中の先行ジョブのシートに衝突することなく、かつ処理されたシート束が第２のシート積載部３４０に積載された後、遅滞なく速やかに次ジョブのシートが第１の中間積載部３００Ｂに搬送されるような一時貯留枚数が設定される。
【手続補正８】
【補正対象書類名】明細書
【補正対象項目名】００７７
【補正方法】変更
【補正の内容】
【００７７】
さらに、次ジョブのシートがある場合、前述の第２の中間積載部３００Ｃを形成して、ステイプル動作、及びステイプル処理されたシート束を第２のシート積載部３４０に積載する動作を行っている間に、次ジョブのシートを第２の中間積載部３００Ｃに貯めておくことができるので、プリンタ部１のエンジンのスループットを落とすことなくステイプル処理を行うことができる。
【手続補正９】
【補正対象書類名】図面
【補正対象項目名】図６
【補正方法】変更
【補正の内容】
【図６】
2005314105.tif 000001
【手続補正１０】
【補正対象書類名】図面
【補正対象項目名】図１７
【補正方法】変更
【補正の内容】
【図１７】
2005314105.tif 000002
【手続補正書】
【提出日】平成20年3月19日(2008.3.19)
【手続補正１】
【補正対象書類名】明細書
【補正対象項目名】００２４
【補正方法】変更
【補正の内容】
【００２４】
［参考例］
撹拌装置、温度調節器、冷却管、減圧装置を取り付けた２リットル四つ口セパラブルフラスコに、水酸基価１１２．２のポリオキシテトラメチレングリコール（保土谷化学工業製）３００ｇと水酸基価が３７．４のポリオキシプロピレントリオール６００ｇと水酸基価が３７．４のポリオキシプロピレンジオール３００ｇを仕込み、１１０℃に加熱しながら、１３３３Ｐａの減圧度で２時間脱水した後温度を６０℃まで降下し、４，４´−ジフェニルメタンジイソシアネートを２８５ｇ加えて徐々に加熱し、３０分で９０℃まで昇温し、その９０℃を維持しながら４時間反応を継続し、プレポリマー中の活性イソシアネート量が２．９質量％に到達した時点を反応の終点とし、温度を４０℃に降下した。
次に撹拌装置、温度調節器、冷却管、減圧装置を取り付けた３リットル四つ口セパラブルフラスコにアジピン酸ジイソノニル７０３．８ｇ、炭酸カルシウム３０５ｇ、比表面積が２０ｍ２／ｇの酸化マグネシウム４３２．０ｇ、水酸化カルシウム２４ｇ、着色剤であるＰＤグレーＳ−３８（御国色素（株）（兵庫県姫路市）製）２４ｇ、酸化防止剤であるＩＲＧＡＮＯＸ １０１０（チバガイギー（株）（スイス）製）及び紫外線吸収剤であるＴＩＮＵＶＩＮ ３２８（チバガイギー（株）（スイス）製）をそれぞれ４．８ｇ、消泡剤であるフローレンＡＣ−２０００ＨＦ（共栄化学（株）（奈良）製）７．２ｇを計量して、良く撹拌混合しながら温度を６０℃に調節し、次いで先に得られたプレポリマーの全量を加えて良く撹拌混合しながら１３３３Ｐａの減圧度で１時間減圧脱泡したのち、温度を４０℃に降下して最後にアミン系硬化促進剤であるＵ−ＣＡＴ６６０Ｍ（サンアプロ（株）（京都市）製）を０．７２ｇ加えて良く混合して１成分形ウレタン塗膜防水材を得た。得られた１成分形ウレタン塗膜防水材の粘度は８４００ｍＰａ・ｓ／２３℃であり、その硬化速度は温度２３℃湿度５０％の雰囲気下で２４時間であった。
また、得られた１成分形ウレタン塗膜防水材をモルタル板上に膜厚さが３ｍｍになるように塗布し、温度５０℃湿度８０％の雰囲気下で硬化させたとき、塗膜中に発砲現象が認められなかった。又温度２３℃湿度５０％の標準状態下で１０日間硬化させた塗膜の物性はＪＩＳＡ６０２１のウレタンゴム系１類に規定される全ての要件を満たしていた。
【手続補正書】
【提出日】平成20年3月13日(2008.3.13)
【手続補正１】
【補正対象書類名】特許請求の範囲
【補正対象項目名】請求項２
【補正方法】変更
【補正の内容】
【請求項２】
（Ａ）成形品を、水洗浄した後、破砕して得られた成形品破砕物が、アクリロニトリル／スチレン共重合体を主体とするスチレン系樹脂からなる成型品の破砕物であり、および（Ｂ）原料スチレン系樹脂が、アクリロニトリル／スチレン共重合体を主体とするスチレン系樹脂であることを特徴とする請求項１記載のガラス繊維強化再生熱可塑性樹脂組成物の製造方法。
【手続補正２】
【補正対象書類名】明細書
【補正対象項目名】０００９
【補正方法】変更
【補正の内容】
【０００９】
すなわち本発明は、使用後に回収された、成形品中にガラス繊維を１５〜３５重量％含有するスチレン系樹脂からなる（Ａ）成形品を、水洗浄した後、破砕して得られた成形品破砕物５〜６５重量％に（Ｂ）原料スチレン系樹脂３０〜９０重量％、（Ｃ）原料ガラス繊維５〜６５重量％を含有せしめることを特徴とするガラス繊維強化再生熱可塑性樹脂組成物の製造方法であり、また、使用後に回収された、ガラス繊維を含有するスチレン系樹脂からなる（Ａ）成形品を、水洗浄した後、破砕して得られた成形品破砕物を予め押出機にてペレタイズした樹脂ペレットと、（Ｂ）原料スチレン系樹脂と（Ｃ）原料ガラス繊維を押出機にてペレタイズした樹脂ペレットとを、ペレットブレンドすることを特徴とする、ガラス繊維強化再生熱可塑性樹脂の製造方法、さらには、かかる方法により製造されたガラス繊維強化再生熱可塑性樹脂組成物、およびそれを用いて成形したことを特徴とする再生エアコンファン部品である。
【手続補正３】
【補正対象書類名】明細書
【補正対象項目名】００１０
【補正方法】変更
【補正の内容】
【００１０】
本発明で得られるガラス繊維強化再生熱可塑性樹脂組成物においては、前記（Ａ）成形品を、水洗浄した後、破砕して得られた成形品破砕物が、アクリロニトリル／スチレン共重合体を主体とするスチレン系樹脂からなる成型品の破砕物であり、および（Ｂ）原料スチレン系樹脂がアクリロニトリル／スチレン共重合体を主体とするスチレン系樹脂であることが好ましい条件として挙げられる。また、本発明では、（Ａ）成形品を破砕して得られた破砕物が１重量％以上の水分を含有した状態で、減圧脱気装置（ベント）を備えた押出機でペレタイズすることが、好ましい条件として挙げられる。
【手続補正４】
【補正対象書類名】明細書
【補正対象項目名】００２２
【補正方法】変更
【補正の内容】
【００２２】
（Ｂ）原料スチレン系樹脂成分の還元粘度（ηｓｐ／ｃ）には特に制限はないが、０．２〜０．８ｄｌ／ｇ、特に０．３〜０．７ｄｌ／ｇの範囲にあることが好ましい。還元粘度が上記の範囲を外れる場合には、耐衝撃性が低下するか、或いは溶融粘度が上昇して成形性が悪くなりやすい傾向を生じる。
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
ａ）親水基及び／又は潜在的親水基を含むポリウレタンプレポリマーと、水とを、ミキシングノズルで混合することによって、水性プレエマルジョンを製造する工程であって、ポリウレタンプレポリマーを、水中に入れる工程、及び
ｂ）多段階ホモジナイジング・ノズルで、工程ａ）からのプレエマルジョンを均質化することによって、エマルジョンを形成する工程
を含んで成る、少なくとも一の脂肪族及び／又は芳香族ポリイソシアネートに基づく水性ポリウレタン分散物の連続製造方法。
【請求項２】
工程ｂ）からの遊離のＮＣＯ基を含むエマルジョンと、イソシアネート基に対して反応性の少なくとも一のアミンとを、少なくとも部分的に反応させる工程ｃ）を、更に含んで成る請求項１に記載の方法。
【請求項３】
工程ｂ）のホモジナイジング・ノズルとして、ジェット・ディスパーサーを使用する請求項１に記載の方法。
【請求項４】
工程ａ）の水の温度は、５℃〜９５℃である請求項１に記載の方法。
【請求項５】
請求項１に記載の方法によって製造される水性ポリウレタン分散物を含んで成る塗膜でコートされている基材。
【手続補正２】
【補正対象書類名】明細書
【補正対象項目名】００４５
【補正方法】変更
【補正の内容】
【００４５】
これらの基材の例は、木、金属、プラスチック、紙、革、織物（又は布）、フェルト、ガラス又は無機（又は鉱物）成分に基づく基材である。基材は、本発明の方法によって製造される水性ポリウレタン分散物に基づく塗膜を用いて、基材を直接コートしてよく、又はいずれかのタイプの一又はそれ以上の他のコートを、その基材に最初に供給してよい。
以下に、本発明の主な態様を記載する。
１．
ａ）親水基及び／又は潜在的親水基を含むポリウレタンプレポリマーと、水とを、ミキシングノズルで混合することによって、水性プレエマルジョンを製造する工程であって、ポリウレタンプレポリマーを、水中に入れる工程、及び
ｂ）多段階ホモジナイジング・ノズルで、工程ａ）からのプレエマルジョンを均質化することによって、エマルジョンを形成する工程
を含んで成る、少なくとも一の脂肪族及び／又は芳香族ポリイソシアネートに基づく水性ポリウレタン分散物の連続製造方法。
２．
工程ｂ）からの遊離のＮＣＯ基を含むエマルジョンと、イソシアネート基に対して反応性の少なくとも一のアミンとを、少なくとも部分的に反応させる工程ｃ）を、更に含んで成る上記１に記載の方法。
３．
工程ｃ）のアミンとの反応を、ミキシングノズルで連続的に行う上記２に記載の方法。
４．
工程ａ）のプレエマルジョンの製造を、０．１〜１００ｂａｒの差圧で行う上記１に記載の方法。
５．
工程ｂ）のエマルジョンの形成を、１〜２００ｂａｒの差圧で行う上記１に記載の方法。
６．
工程ｂ）の均質化のために、２〜２０段階を用いる上記１に記載の方法。
７．
工程ｂ）のホモジナイジング・ノズルとして、ジェット・ディスパーサーを使用する上記１に記載の方法。
８．
ジェット・ディスパーサーを、工程ａ）のミキシングノズルとして使用する上記１に記載の方法。
９．
工程ａ）のポリウレタンプレポリマーの温度は、１０℃〜１００℃である上記１に記載の方法。
１０．
工程ａ）の水の温度は、５℃〜９５℃である上記１に記載の方法。
１１．
上記１に記載の方法によって製造される水性ポリウレタン分散物を含んで成る塗膜でコートされている基材。
１２．
工程ｂ）のエマルジョンの形成を、３〜１００ｂａｒの差圧で行う上記１に記載の方法。
１３．
工程ｂ）のエマルジョンの形成を、５〜６０ｂａｒの差圧で行う上記１に記載の方法。
１４．
工程ａ）のプレエマルジョンの製造を、０．２〜５０ｂａｒの差圧で行う上記１に記載の方法。
１５．
工程ａ）のプレエマルジョンの製造を、０．５〜２０ｂａｒの差圧で行う上記１に記載の方法。
１６．
ジェット・ディスパーサーを、工程ｂ）のホモジナイジング・ノズルとして使用する上記２に記載の方法。
１７．
ジェット・ディスパーサーを、工程ｂ）のホモジナイジング・ノズルとして使用する上記３に記載の方法。
１８．
工程ａ）のポリウレタンプレポリマーの温度は、１０℃〜１００℃であり、工程ａ）の水の温度は、５℃〜９５℃である上記２に記載の方法。
１９．
工程ａ）のポリウレタンプレポリマーの温度は、１０℃〜１００℃であり、工程ａ）の水の温度は、５℃〜９５℃である上記３に記載の方法。
２０．
上記２に記載の方法によって製造される水性ポリウレタン分散物を含んで成る塗膜を用いてコートされている基材。
２１．
上記３に記載の方法によって製造される水性ポリウレタン分散物を含んで成る塗膜を用いてコートされている基材。
【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
熱溶融型インクを調製するための担体の使用であって、
該担体は、アルキルケテンの二量体を、反応性の水素を有する化合物を含む非水の反応物と反応させることによって得られると共に、
該熱溶融型インクは、着色剤及び自由選択の結合剤をさらに含む、担体の使用。
【請求項２】
前記担体は、アルコール、アミン、メルカプタン、カルボン酸、カルボキサミド、及びアンモニアより選択された反応物と前記アルキルケテンの二量体を反応させることによって得られる、請求項１に記載の担体の使用。
【請求項３】
熱溶融型インクを調製するための担体の使用であって、
前記担体は、
Ｒ１−Ｘ１−ＣＯ−ＣＨＲ３−ＣＯ−Ｒ２  （Ｉ）、
Ｒ２−ＣＯ−ＣＨＲ３−ＣＯ−Ｘ２−Ｒ４−Ｘ３−ＣＯ−ＣＨＲ９−ＣＯ−Ｒ８  （ＩＩ）、及び
可能性のある副産物としてのＲ５−ＣＯ−Ｒ６  （ＩＩＩ）並びに
それらの混合物より選択され、
Ｘ１、Ｘ２、及びＸ３は、Ｏ、ＳＨ、ＮＲ７、及びオキシカルボニル［Ｃ（＝Ｏ）−Ｏ］より独立に選択され、
Ｒ１は、Ｃ１−Ｃ５０のアルキル又はアルコキシアルキル、Ｃ７−Ｃ２０のアルカリール、Ｃ５−Ｃ２０のシクロアルキル、アビエチル、及びヒドロアビエチルより選択され、
Ｒ７は、Ｈ、Ｃ１−Ｃ３０のアルキル、及びＣ１−Ｃ３０のアシルより選択され、
Ｒ２、Ｒ３、Ｒ５、Ｒ６、Ｒ８、及びＲ９は、Ｃ１−Ｃ５０のアルキル又はアルコキシアルキル、Ｃ７−Ｃ２０のアルカリール、Ｃ５−Ｃ２０のシクロアルキル、及びＣ５−Ｃ２０のアルケニルより独立に選択され、
Ｒ４は、Ｃ２−Ｃ２０のアルキレン又はアルコキシアルキレン、Ｃ７−Ｃ２０のアルカリーレン、シクロヘキシレン、Ｃ８−Ｃ２０のモノ又はジアルキレンシクロヘキシレン、ビフェニレン、フェニレンオキシフェニレン、及び（ビスフェニレン）アルキレンより選択され、
該アルキル基及び該アルキレン基の各々は、分岐の又は分岐でない、飽和の又は不飽和のアルキル及びアルキレン基であることがあり、
該熱溶融型インクは、着色剤及び自由選択の結合剤をさらに含む、
担体の使用。
【請求項４】
Ｒ３は、Ｃ６−Ｃ２４のアルキルである、請求項３に記載の担体の使用。
【請求項５】
Ｒ４は、エチレン、シクロヘキシレン、シクロへキシル−１，３−ビスメチレン、及びシクロへキシル−１，４−ビスメチレンより選択される、請求項３又は４に記載の担体の使用。
【請求項６】
受容性の要素を熱溶融型インク組成物で印刷する方法であって、
該インクを、それが液体である温度より上まで加熱すること、
受容性の要素へ該液体のインクを画像様に転写すること、
自由選択で、該インクを、媒介物の要素を介して、該受容性の要素へ転写すること
を含む方法において、
請求項１乃至５のいずれか一項に記載の担体を使用する熱溶融型インク組成物が、使用されることを特徴とする方法。
【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
建築板の送り方向に一列に配置されるフルカラー印刷用の異なる色の塗料を噴射する複数の塗装ヘッドを一組として、インクジェット式塗装機に複数組の塗装ヘッドを平行な複数列に配置して設け、各組の塗装ヘッドをそれぞれ建築板の送り方向と垂直な方向で位置調整自在に形成し、建築板を複数組の塗装ヘッド間に跨らせた状態で送ってこの複数組の塗装ヘッドから噴射される塗料でフルカラー塗装する塗装装置を用いて、表面にフルカラー塗装が施された塗装建築板であって、この建築板の表面にはその送り方向に沿った目地溝が、隣合う組の塗装ヘッドの各対向する側の端部位置において凹設されていることを特徴とする塗装建築板。
【手続補正２】
【補正対象書類名】明細書
【補正対象項目名】発明の名称
【補正方法】変更
【補正の内容】
【発明の名称】塗装建築板
【手続補正３】
【補正対象書類名】明細書
【補正対象項目名】０００１
【補正方法】変更
【補正の内容】
【０００１】
本発明は、インクジェット式の塗装機を備える塗装装置を用いて塗装された塗装建築板に関するものである。
【手続補正４】
【補正対象書類名】明細書
【補正対象項目名】００１０
【補正方法】変更
【補正の内容】
【００１０】
本発明は上記の点に鑑みてなされたものであり、幅狭の建築板と幅広の建築板のいずれの建築板にも品質の高い塗装を行なうことができる塗装装置を用いて、隣合う塗装ヘッドで施される塗装の領域の境界が目立つことがないように塗装することができる幅広の塗装建築板を提供することを目的とするものである。
【手続補正５】
【補正対象書類名】明細書
【補正対象項目名】００１１
【補正方法】変更
【補正の内容】
【００１１】
本発明に係る塗装建築板は、建築板１の送り方向に一列に配置されるフルカラー印刷用の異なる色の塗料を噴射する複数の塗装ヘッド３を一組として、インクジェット式塗装機２に複数組の塗装ヘッド３を平行な複数列に配置して設け、各組の塗装ヘッド３をそれぞれ建築板１の送り方向と垂直な方向で位置調整自在に形成し、建築板１を複数組の塗装ヘッド３間に跨らせた状態で送ってこの複数組の塗装ヘッド３から噴射される塗料でフルカラー塗装する塗装装置を用いて、表面にフルカラー塗装が施された塗装建築板であって、この建築板１の表面にはその送り方向に沿った目地溝５が、隣合う組の塗装ヘッド３の各対向する側の端部位置において凹設されていることを特徴とするものである。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
複数組の各塗装ヘッド３をそれぞれ建築板１の送り方向と垂直な方向で位置調整自在に形成することによって、幅狭の建築板１ａを塗装する場合と、幅広の建築板１ｂを塗装する場合に応じて、建築板１の位置に対する各組の各塗装ヘッド３の位置を調整することができるものであり、幅広の建築板１ｂを塗装する場合においては隣合う組の塗装ヘッド３を近付ける方向に位置調整することによって、塗装することができない部分が生じることなく塗装を行なうことができ、幅狭の建築板１ａは勿論、幅広の建築板１ｂにも品質の高い塗装を行なうことができるものである。
【手続補正８】
【補正対象書類名】明細書
【補正対象項目名】００１４
【補正方法】変更
【補正の内容】
【００１４】
また、建築板１の表面にその送り方向に沿った目地溝５を、隣合う組の塗装ヘッド３の各対向する側の端部の位置において凹設しているので、隣合う組の各塗装ヘッド３で塗装される境界部分に多少の位置ずれがあっても、この位置ずれを目地溝５で目立たないようにすることができるものである。
【手続補正９】
【補正対象書類名】明細書
【補正対象項目名】００３２
【補正方法】変更
【補正の内容】
【００３２】
図２は本発明の実施の形態を示すものであり、幅広の建築板１ｂとして図２（ｂ）に示すように、塗装を施す表面に目地溝５を凹設したものを用いるものである。この目地溝５は建築板１ｂの幅方向の中央部において、建築板１ｂをコンベア１４で送る方向の全長に亘って形成してある。従って図２（ａ）に示すように、上記のように二組の塗装ヘッド３ｃ，３ｍ，３ｙ，３ｋを用いて幅広の建築板１ｂに塗装を施す際に、隣合う組の塗装ヘッド３ｃ，３ｍ，３ｙ，３ｋの各対向する側の端部に対応する位置に、目地溝５は設けられているものであり、この目地溝５を設けた幅広の建築板１ｂをコンベア１４で送りながら二組の塗装ヘッド３ｃ，３ｍ，３ｙ，３ｋで塗装を行なうと、各組の塗装ヘッド３ｃ，３ｍ，３ｙ，３ｋの対向する側の端部の噴射ノズル４から噴射される塗料のドットで目地溝５内の塗装が行なわれることになる。
【手続補正１０】
【補正対象書類名】明細書
【補正対象項目名】００３６
【補正方法】変更
【補正の内容】
【００３６】
【図１】幅狭と幅広の建築板の塗装を示すものであり、（ａ）（ｂ）はそれぞれ平面図である。
【図２】本発明の実施の形態の一例を示すものであり、（ａ）は平面図、（ｂ）は塗装した建築板の一部の斜視図である。
【図３】塗装装置の全体を示す平面図である。
【図４】塗装装置の全体を示す正面図である。
【図５】同上のインクジェット式塗装機の概略構成を示す図である。
【図６】同上の塗装ヘッドの拡大した下面図である。
【図７】同上の単体ヘッドのさらに拡大した下面図である。
【図８】同上の塗装ヘッドの配置を示す概略平面図である。
【図９】従来例の塗装ヘッドの配置を示すのものであり、（ａ）（ｂ）はそれぞれ概略平面図である。
【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
遊技機前面を覆う扉体と、
前記扉体に設けられた視認窓を通じて視認される絵柄を可変表示する絵柄表示装置と、
遊技を統括制御する制御手段と、
遊技媒体として使用される遊技球を払い出す払出手段と
を備え、
前記絵柄表示装置により可変表示される絵柄の停止後に、前記視認窓から視認できる予め定めた有効位置に前記絵柄によって形成される特定絵柄又は特定絵柄の組合せが成立した場合には前記払出手段によって遊技球の払い出しが行われる遊技機において、
前記制御手段及び前記絵柄表示装置を備えると共に、前記視認窓を介して前記絵柄表示装置の絵柄を視認可能とする開口部が形成されたパネル体を前記扉体の背面側に設け、
前記パネル体の背面に前記制御手段及び前記絵柄表示装置を組み付けて交換ユニットを構成し、その交換ユニットを前記扉体の一側部で上下方向に延びる回動軸線を中心に回動可能、且つ着脱自在に軸支し、
前記交換ユニットとその背面側から少なくとも前記制御手段を覆うカバー部材とを一体化した状態に固定すると共に、その固定状態の解除を、前記交換ユニット及び前記カバー部材の一体物を前記扉体に対して閉状態としたときにその扉体で隠される部位で行う固定手段を設けたことを特徴とする遊技機。
【請求項２】
前記固定手段を、前記交換ユニットと前記カバー部材との開放端側に設けたことを特徴とする請求項１に記載の遊技機。
【請求項３】
前記パネル体の前面における前記開口部周辺領域を遊技者に対する情報または絵や模様等の装飾が施される装飾領域とし、この装飾領域を前記透視窓を介して遊技者に透視可能とし、
前記固定手段は、同固定手段による前記固定状態とその固定を解除した状態とに切換操作する操作部を備え、
前記操作部は、前記交換ユニット及び前記カバー部材の一体物を前記扉体に対して閉状態としたときに前記扉体で隠されると共に、前記透視窓を介して透視不可能な前記パネル体の部位に設けられていることを特徴とする請求項１又は２に記載の遊技機。
【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
遊技機前面を覆う扉体と、
略円環状をなし、その外周面に複数種の絵柄が付された複数のリール及び同リールを周方向に回転駆動させる駆動手段をケース部材に収容してなるリール装置と、
前記扉体に設けられ、前記リールの絵柄を透視可能とする透視窓と、
遊技媒体としての遊技球を貯留する貯留部と、
遊技球を前記貯留部から取り込む取込手段と、
前記取込手段によって遊技球を取り込ませるべく操作される取込操作手段と、
前記各リールの回転を開始させるべく操作される始動操作手段と、
前記各リールの回転を停止させるべく操作される停止操作手段と、
予め定めた数の遊技球が取り込まれて前記始動操作手段が操作されると前記リールの回転を開始させ、前記停止操作手段が操作されると前記リールの回転を停止させるよう前記駆動手段を制御する制御手段と
を備え、
前記リールの回転停止後に、前記透視窓から透視できる予め定めた有効位置に前記絵柄によって形成される特定絵柄又は特定絵柄の組合せが成立した場合には遊技者に特典を付与するようにした遊技機において、
前記制御手段及び前記リール装置を備えるとともに、前記透視窓を介して前記リールの所定数の絵柄を透視可能とする開口部が形成されたパネル体を前記扉体の背面側に設け、
前記パネル体と前記制御手段と前記リール装置とは一体的に組み付けられて交換ユニットを構成しており、その交換ユニットを前記扉体に対して着脱自在とし、
前記パネル体又は前記リール装置のケース部材の何れか一方に引掛部を設けるとともに、他方に前記引掛部を引っ掛けるための受け部を設け、
前記受け部に前記引掛部を引っ掛けて前記パネル体に前記リール装置を支持させ、その状態で前記リール装置を前記パネル体に取付固定したことを特徴とする遊技機。
【請求項２】
前記パネル体の背面側に、板部を有し前記リール装置を取り付ける取付部材を、前記板部の板面が前記パネル体の背面に対して略平行となるように設け、その取付部材を左右両端部で前記パネル体に固定し、
前記ケース部材に前記引掛部を設け、
前記取付部材の板部の上端部を前記受け部とし、その受け部に前記引掛部を引っ掛けて前記リール装置を前記パネル体に支持させたことを特徴とする請求項１に記載の遊技機。
【請求項３】
遊技機前面を覆う扉体と、
略円環状をなし、その外周面に複数種の絵柄が付された複数のリール及び同リールを周方向に回転駆動させる駆動手段をケース部材に収容してなるリール装置と、
前記リール装置の上方に位置し、遊技の補助演出を表示する表示装置と、
前記扉体に設けられ、前記リールの絵柄を透視可能とする第１透視窓及び前記表示装置による表示内容を透視可能とする第２透視窓と、
遊技媒体としての遊技球を貯留する貯留部と、
遊技球を前記貯留部から取り込む取込手段と、
前記取込手段によって遊技球を取り込ませるべく操作される取込操作手段と、
前記各リールの回転を開始させるべく操作される始動操作手段と、
前記各リールの回転を停止させるべく操作される停止操作手段と、
予め定めた数の遊技球が取り込まれて前記始動操作手段が操作されると前記リールの回転を開始させ、前記停止操作手段が操作されると前記リールの回転を停止させるよう前記駆動手段を制御する制御手段と
を備え、
前記リールの回転停止後に、前記透視窓から透視できる予め定めた有効位置に前記絵柄によって形成される特定絵柄又は特定絵柄の組合せが成立した場合には遊技者に特典を付与するようにした遊技機において、
前記扉体の背面側に設けたベース板に前記リール装置、前記表示装置及び前記制御手段を一体的に組み付けて交換ユニットを構成し、その交換ユニットを前記扉体に対して着脱自在とし、
前記ベース板には前記第１透視窓を介して前記リールの所定数の絵柄を透視可能とするための第１開口部と、同第１開口部の上方に配置され、前記第２透視窓を介して前記表示装置の表示内容を透視可能とするための第２開口部とを形成し、
前記第１開口部と前記第２開口部とを区画する中間枠部の背面側に、板部を有し前記リール装置を取り付ける取付部材を、前記板部の板面が前記ベース板の背面に対して略平行となり、さらに前記板部が前記中間枠部から後退するように設け、その取付部材をその左右両端部で前記ベース板に固定し、
前記板部の後退によって形成された空間に、前記ベース板に取付固定された表示装置の下部を収容するとともに、
前記リール装置のケース部材には引掛部を設け、同引掛部を前記取付部材の板部の上端部に引っ掛けて前記リール装置を前記ベース板に支持させ、その状態で前記リール装置を前記ベース板に取付固定したことを特徴とする遊技機。
【請求項４】
前記ケース部材の上部には前記リールの回転軸よりも前方となる部位に前記ケース部材の上面より上方に突出した上側突片を設け、
前記上側突片は、その上部に前記引掛部を有するとともに、当該引掛部を前記板部に引っ掛けた際に前記板部の背面側板面と当接する上側当接面を有することを特徴とする請求項２又は請求項３に記載の遊技機。
【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
遊技機前面を覆い、手前側へ回動可能な扉体と、
略円環状をなし、その外周面に複数種の絵柄が付された複数のリール及び同リールを周方向に回転駆動させる駆動手段をケース部材に収容してなるリール装置と、
遊技を統括制御する制御装置と、
遊技の補助演出を表示する表示装置と、
前記表示装置を制御する表示制御装置と、
前記扉体に設けられ、前記リールの絵柄を透視可能とする透視窓と、
遊技媒体としての遊技球を貯留する貯留部と、
遊技球を前記貯留部から取り込む取込手段と、
前記取込手段によって遊技球を取り込ませるべく操作される取込操作手段と、
前記各リールの回転を開始させるべく操作される始動操作手段と、
前記各リールの回転を停止させるべく操作される停止操作手段と
を備え、
予め定めた数の遊技球が取り込まれて前記始動操作手段が操作されると、前記リールの回転が開始し、前記停止操作手段の操作又は所定時間の経過によって前記リールの回転が停止し、前記第１透視窓から透視できる予め定めた有効位置に前記絵柄によって形成される特定絵柄または特定絵柄の組合せが成立した場合には遊技者に特典を付与するようにした遊技機において、
前記リール装置及び前記表示装置を備えたパネル体に、前記透視窓を介して前記リールの所定数の絵柄を透視可能とする開口部を形成し、
前記パネル体を前記扉体の背面側に設け、
前記パネル体に、前記リール装置と前記表示装置に加え前記制御装置と前記表示制御装置とを組み付けて交換ユニットを構成し、その交換ユニットを前記扉体に対して着脱自在とし、
さらに、前記交換ユニットでは、前記制御装置及び前記表示制御装置を前記リール装置と非接触に組み付けたことを特徴とする遊技機。
【請求項２】
前記リール装置を取り付けるための取付部材を前記パネル体に設け、その取付部材を介して前記リール装置を前記パネル体に設けたことを特徴とする請求項１に記載の遊技機。
【請求項３】
前記パネル体に前記開口部を設けることより同パネル体に右枠部と左枠部とが形成され、
前記右枠部と前記左枠部との何れか一方にこのパネル体を含む前記交換ユニットを前記扉体に対して回動可能に支持する支軸部材を設けるとともに、他方に前記交換ユニットの背面から少なくとも前記リール装置を覆うカバー部材を閉状態に固定する固定部材を設け、
さらに、前記右枠部及び前記左枠部の両枠部、或いは何れか一方の枠部を利用して前記制御装置及び前記表示制御装置を設けたことを特徴とする請求項１又は請求項２に記載の遊技機。
【請求項４】
前記制御装置は、収容部材に制御基板を収容して構成され、前記表示制御装置は、表示用収容部材に表示制御基板を収容して構成され、
前記制御基板の基板面及び前記表示制御基板の基板面が前記パネル体の背面とほぼ垂直となるように、前記制御装置及び前記表示制御装置を前記パネル体に設けたことを特徴とする請求項１乃至請求項３のいずれか１つに記載の遊技機。
【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
遊技機前面を覆う扉体と、
払出装置から払い出される遊技球を貯留する上皿と、
前記上皿にて余剰となった遊技球を貯留する下皿と、
前記上皿に貯留された遊技球が導入される遊技球取込用通路を複数列有するとともに、駆動手段により駆動されることで前記各遊技球取込用通路の遊技球の通過を阻止又は許容するゲート部材を有する取込装置と
を備え、
前記上皿及び前記取込装置を板状部材に組み付けて集合ユニットを構成し、その集合ユニットを前記扉体に対して着脱自在に取り付けた遊技機であって、
前記板状部材に、その左右方向の一端側に前記取込装置を収容する収容部を形成するとともに同他端側から前記収容部に向けて前記板状部材の板面から起立する通路壁部を一体形成し、同通路壁部により、前記余剰となった遊技球を前記下皿に誘導する余剰球誘導通路を形成したことを特徴とする遊技機。
【請求項２】
前記払出装置を含む払出機構に存在する遊技球を外部排出通路により遊技機外部に排出する遊技機であって、
前記外部排出通路の外部排出通路壁部を、前記板状部材の板面から起立させ、且つ前記外部排出通路が前記余剰球誘導通路と並行するように形成したことを特徴とする請求項１に記載の遊技機。
【請求項３】
前記取込装置の各遊技球取込用通路を通過した遊技球を取込球排出通路により遊技機外部に排出する遊技機であって、
前記取込球排出通路の取込球通路壁部を、前記板状部材の板面から起立させ、且つ前記取込球排出通路が前記収容部から前記外部排出通路の下流部に合流するよう前記外部排出通路壁部に連続的に形成したことを特徴とする請求項１又は請求項２に記載の遊技機。
【請求項４】
前記取込装置は、前記遊技球取込用通路から分岐して設けられ遊技球を前記取込装置外部に排出する排出通路と、同排出通路の入口部分に設けられ同排出通路の遊技球の通過を阻止又は許容する排出ゲート部材とを備え、
前記排出通路に連通し同排出通路を通過した遊技球を排出球誘導通路により前記下皿に誘導する遊技機であって、
前記排出球誘導通路の排出球通路壁部を、前記板状部材の板面から起立させ、且つ前記排出球誘導通路が前記収容部の下方に迂回するように形成したことを特徴とする請求項１乃至請求項３のいずれか１つに記載の遊技機。
【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
遊技機前面を覆う扉体と、
略円環状をなし、その外周面に複数種の絵柄が付された複数のリール及び同リールを周方向に回転駆動させる駆動手段をケース部材に収容してなるリール装置と、
前記扉体に設けられ、前記リールの絵柄を透視可能とする透視窓と、
遊技媒体としての遊技球を貯留する貯留部と、
遊技球を前記貯留部から取り込む取込手段と、
前記取込手段によって遊技球を取り込ませるべく操作される取込操作手段と、
前記各リールの回転を開始させるべく操作される始動操作手段と、
前記各リールの回転を停止させるべく操作される停止操作手段と、
予め定めた数の遊技球が取り込まれて前記始動操作手段が操作されると前記リールの回転を開始させるよう前記駆動手段を制御し、前記停止操作手段が操作されると前記リールの回転を停止させるよう前記駆動手段を制御する制御手段と
を備え、
前記リールの回転停止後に、前記透視窓から透視できる予め定めた有効位置に前記絵柄によって形成される特定絵柄又は特定絵柄の組合せが成立した場合には遊技者に特典を付与するようにした遊技機において、
前記透視窓を介して前記リールの所定数の絵柄を透視可能とする開口部が形成されたパネル体に、少なくとも前記制御手段及び前記リール装置を同パネル体の下端部よりも上方となるよう設けて交換ユニットを構成し、
その交換ユニットを前記扉体の背面側に着脱自在に取り付け、
前記ケース部材の背面部から同ケース部材の下面部に向けて徐々に手前側に位置するように下背面部を形成し、
前記下背面部と、前記背面部の最も後方となる最背面部を下方に延ばした仮想最背面部と、前記下面部を後方に延ばした仮想下面部とで形成された後方領域内に収まるよう前記下背面部に起立補助部を設け、
前記交換ユニットの前記扉体からの取り外し状態では、前記パネル体の下端部と前記起立補助部とが床面に接触することにより自立するように構成したことを特徴とする遊技機。
【請求項２】
前記起立補助部を、前記下背面部から後斜め下方に向けて延びるよう形成したことを特徴とする請求項１に記載の遊技機。
【請求項３】
前記起立補助部を板状に形成し、その板面が前記ケース部材の側方を向くよう同起立補助部を配置したことを特徴とする請求項１又は請求項２に記載の遊技機。
【請求項４】
前記起立補助部の前記下背面部との取付寸法を、その取付部位からの突出寸法よりも大きく設定して同起立補助部を形成したことを特徴とする請求項３に記載の遊技機。
【手続補正書】
【提出日】平成20年10月7日(2008.10.7)
【手続補正１】
【補正対象書類名】明細書
【補正対象項目名】００２６
【補正方法】変更
【補正の内容】
【００２６】
検討例2  （酸の組み合わせによる官能評価の違い）
アルコール飲料において、酸味料の組み合わせにより官能評価にどのような違いが認められるかを検討するため、モデル液を用いて試験を行った。モデル液のアルコール度数は6v/v %、酸の総添加量はアルコール飲料の酸度（クエン酸換算）として0.25 w/v%とし、このうちリン酸とクエン酸の配合比が重量比で、リン酸：クエン酸＝0：100〜75：25の範囲となるよう表1のように調製した試験区を用意した。塩は酸の形態に換算して、配合比を計算する。各モデル液について、アルコール感、後味のスッキリ感、香味のメリハリ及び総合評価について、専門パネラー8名による官能評価を行った。
【誤訳訂正書】
【提出日】平成20年2月29日(2008.2.29)
【誤訳訂正１】
【訂正対象書類名】明細書
【訂正対象項目名】００４０
【訂正方法】変更
【訂正の内容】
【００４０】
天然サンプル中の抗風疹IgG抗体の免疫学的検出は、最適化抗原E1-C（201-432, Cys349-Cys352, Cys368-Cys401）で更に改善された。抗風疹IgG陽性として分類されたこれらの研究において適用されたすべてのヒト血清は陽性であることが判明した。より複雑な三次架橋融合構築物-E1-C(169-432)、Cys225-Cys235、Cys349-Cys352、Cys368-Cys401)を使用することにより、抗風疹IgG抗体の検出に関して同等の結果を得ることができた。風疹E1抗原断片の最低限の要件は、少なくともジスルフィド架橋Cys349-Cys352及びCys368-Cys401により分子内で連結されたポリペプチドバックボーンにまで縮小することができた。E1断片E1-C（342-412、Cys349-Cys352、Cys368-Cys401）は不十分な免疫反応を示すため、E1-C（342−412）のN末端及び／又はC末端に隣接した配列要素は免疫反応性に重要だと考えられた。これを証明するために、構築物E1-C（315-412、Cys349-Cys352、Cys368-Cys401）をクローニングし、特徴づけした。この断片に関して、E1-C（201-432、Cys349-Cys352、Cys368-Cys401）に匹敵する免疫反応性を示すことができた。この結果は、構築物E1-C（アミノ酸315-412）のN末端領域（315-342）のアミノ酸残基が風疹E1抗原の免疫反応性に重要らしいことを示している。当業者は、E1-C（315-412）のN末端及び／又はC末端に隣接したどの配列要素が免疫反応性に重要なのかを、更なる実験により証明することが可能である。
【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
ワイヤーを通すための孔を有する樹脂製の細管と、
前記細管の先端部に取り付けられたマーカと、
前記細管内に埋め込まれ、前記マーカとの位置関係が固定された光ファイバと、
前記光ファイバと前記細管との間に介在する弾性材料である樹脂材料と、
を備えることを特徴とする請求項１に記載のカテーテル。
【請求項２】
請求項１に記載のカテーテルと、
前記カテーテルの前記光ファイバに入力する光を出射する光源と、
を備えることを特徴とする検査システム。
【請求項３】
前記光源はレーザ光源であって、
前記レーザ光の中心波長λ、パルス幅Ｔ、繰り返し周波数ｆは：
５２０ｎｍ≦λ≦５９０ｎｍ
１μｓｅｃ≦Ｔ≦１００μｓｅｃ
１Ｈｚ≦ｆ≦１０Ｈｚ
のように、設定されることを特徴とする請求項２に記載の検査システム。
【請求項４】
請求項１に記載のカテーテルと、
前記カテーテルの前記光ファイバに入力する光を出射する光源と、
を備え、
前記光源はレーザ光源であって、
前記レーザ光の中心波長λ、パルス幅Ｔ、繰り返し周波数ｆは：
５２０ｎｍ≦λ≦５９０ｎｍ
１μｓｅｃ≦Ｔ≦１００μｓｅｃ
１Ｈｚ≦ｆ≦１０Ｈｚ
のように、設定されることを特徴とする血栓溶解装置。 
【手続補正２】
【補正対象書類名】明細書
【補正対象項目名】発明の名称
【補正方法】変更
【補正の内容】
【発明の名称】カテーテル、検査システム及び血栓溶解装置
【手続補正３】
【補正対象書類名】明細書
【補正対象項目名】０００１
【補正方法】変更
【補正の内容】
【０００１】
本発明は、カテーテル、検査システム及び血栓溶解装置に関する。 
【手続補正４】
【補正対象書類名】明細書
【補正対象項目名】０００８
【補正方法】変更
【補正の内容】
【０００８】
本発明は、このような課題に鑑みてなされたものであり、対象物にレーザ光を効果的に照射可能なカテーテル及び対象物としての血栓を有効に溶解できる検査システム及び血栓溶解装置を提供することを目的とする。 
【手続補正５】
【補正対象書類名】明細書
【補正対象項目名】０００９
【補正方法】変更
【補正の内容】
【０００９】
上述の課題を解決するため、本発明に係るカテーテルは、ワイヤーを通すための孔を有する樹脂製の細管と、細管の先端部に取り付けられたマーカと、細管内に埋め込まれ、マーカとの位置関係が固定された光ファイバと、光ファイバと細管との間に介在する弾性材料である樹脂材料とを備えることを特徴とする。 
【手続補正６】
【補正対象書類名】明細書
【補正対象項目名】００１１
【補正方法】変更
【補正の内容】
【００１１】
光ファイバと前記細管との間に介在する弾性材料である樹脂材料を更に備えることが好ましい。樹脂材料は、カテーテルの湾曲時においても曲がり、光ファイバへの血液中の微量元素の進入を抑制することができる。したがって、光ファイバの劣化を防止することができる。 
【手続補正７】
【補正対象書類名】明細書
【補正対象項目名】００１２
【補正方法】変更
【補正の内容】
【００１２】
このカテーテルを有する検査システム或いは血栓溶解装置は、上記カテーテルと、カテーテルの光ファイバに入力する光を出射する光源とを備えることを特徴とする。ここで、光源がレーザ光源であって、レーザ光の中心波長λ、パルス幅Ｔ、繰り返し周波数ｆは、以下のように、設定されることが好ましい。
５２０ｎｍ≦λ≦５９０ｎｍ）
１μｓｅｃ≦Ｔ≦１００μｓｅｃ
１Ｈｚ≦ｆ≦１０Ｈｚ 
【手続補正８】
【補正対象書類名】明細書
【補正対象項目名】００１４
【補正方法】変更
【補正の内容】
【００１４】
本発明のカテーテル、検査システム及び血栓溶解装置によれば、対象物にレーザ光を効果的に照射することができ、対象物としての血栓を有効に溶解できる。
【手続補正書】
【提出日】平成20年10月14日(2008.10.14)
【手続補正１】
【補正対象書類名】明細書
【補正対象項目名】００４２
【補正方法】変更
【補正の内容】
【００４２】
揺動ケース４８は刃受板５０の球面板部６０の内径側を通り下方へ突出する円筒部６８（図４〜８）を持ち、この円筒部６８の下縁と可動板９２の上拡径部９２ｂとの間には円錐コイルばね７０が装填されている。この円錐コイルばね７０は、揺動ケース４８を垂直位置（図５）に復帰させる復元力を付与する復帰ばねである。
【手続補正２】
【補正対象書類名】明細書
【補正対象項目名】００５３
【補正方法】変更
【補正の内容】
【００５３】
外刃１４の中央または全面に図５で垂直下向きの外力が加わると、外刃１４は駆動軸２６を圧縮しつつ刃受台９０に対して一定範囲内で下降する。すなわち外刃１４の下降量は、外刃１４のフランジ１４ｃが外刃リング７６に固定されているので、揺動ケース４８は刃受板５０に対する上下方向の遊び範囲で、刃受板５０は刃受台９０に対する可動範囲内でそれぞれ上下動し、この時円錐コイルばね７０を圧縮する。
【手続補正３】
【補正対象書類名】明細書
【補正対象項目名】００５６
【補正方法】変更
【補正の内容】
【００５６】
外刃１４に加わっている外力が無くなると、円錐コイルばね７０により揺動ケース４８は復帰方向に押し戻される。この時駆動軸２６も図５の垂直位置に復帰する。この結果図４の状態に戻る。
【手続補正４】
【補正対象書類名】明細書
【補正対象項目名】００５８
【補正方法】変更
【補正の内容】
【００５８】
押上げ部材９４ａが上昇すると円錐コイルばね７０が圧縮され、外刃１４の押し下げ力（押し下げ時の復元力）は強くなる。反対に押上げ部材９４ａが下降すると外刃１４の押下げ力は弱くなる。このようにして外刃１４の押下げ力を使用者の好みによって適切に設定することができるから、深剃りやヒリヒリ感の発生を防ぐことができる。
【手続補正５】
【補正対象書類名】図面
【補正対象項目名】図１１
【補正方法】変更
【補正の内容】
【図１１】
2007117190.tif 000001
【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
遊技機前面を覆う扉体と、
周方向に周回するとともに、この周方向に複数種の絵柄が配列された複数の周回体と、
遊技の補助的な表示を行う表示装置と、
前記扉体の窓部に設けられ、同扉体の前方から前記周回体の絵柄を透視可能とする透視パネルと、
遊技媒体としての遊技球を貯留する貯留部と、
遊技球を前記貯留部から取り込む取込手段と、
前記取込手段によって遊技球を取り込ませるべく操作される取込操作手段と、
前記各周回体の回転を開始させるべく操作される始動操作手段と、
前記各周回体の回転を停止させるべく操作される停止操作手段と、
予め定めた数の遊技球が取り込まれて前記始動操作手段が操作されると前記周回体の回転を開始させるように制御し、前記停止操作手段が操作されると前記周回体の回転を停止させるように制御する制御手段と
を備え、
前記各周回体の回転停止後に、前記透視パネルから透視できる予め定めた有効位置に前記絵柄によって形成される特定絵柄又は特定絵柄の組合せが成立した場合には遊技者に特典を付与するようにした遊技機において、
前記扉体の背面側に設けられ、取付対象に対して着脱自在なパネル体の背面側に前記周回体、前記制御手段及び前記表示装置を設けて交換ユニットを構成し、
さらに前記交換ユニットの前面に、機種固有の装飾部材又は装飾部を設けるための装飾領域を設け、
前記透視パネルを、前記扉体の前方から前記周回体の絵柄とともに、前記表示装置の表示領域及び前記装飾領域を透視可能な大きさに形成し、
前記透視パネルと前記交換ユニットとを離間させて配置したことを特徴とする遊技機。
【請求項２】
前記パネル体は、前記透視パネルを介して前記周回体の絵柄を透視可能とする第１表示窓と、前記表示領域を透視可能とする第２表示窓とが形成された前面の周囲に同前面から後退した後退面部を有し、
前記扉体と前記パネル体との間に間隔保持部材を設け、
前記間隔保持部材と前記後退面部とが当接することにより前記透視パネルと前記交換ユニットの前面とが離間した状態で保持されることを特徴とする請求項１に記載の遊技機。
【請求項３】
前記扉体の左右両側部の一方に回動軸部を設けて同扉体を扉用取付対象に対して回動可能に支持するとともに、前記扉体の他方に同扉体を前記扉用取付対象に対して閉状態に施錠する施錠手段を設け、
前記透視パネルを前記扉体に取付支持するためのパネル支持部材を、同扉体の左右両側部にそれぞれ設けたことを特徴とする請求項２に記載の遊技機。